(57)【要約】【課題】  Ｔ字カミソリや歯ブラシ、電気カミソリや電動歯ブラシ、包丁などの日用品を把持した際に、手振れを極力防止可能な把持部構造の提供を図る。【解決手段】  Ｔ字カミソリや歯ブラシ、電気カミソリや電動歯ブラシ、包丁などの日用品１における把持部３の構造であって、把持部３の所定中間箇所における左右両方に、夫々直棒形状や略Ｕ字形状、輪形状の指掛体４が備えられた構成となっている。さらには、把持部３の下端に、指掛フック体５が備えられた構成を採用し得る。【選択図】図1
2015074053.tif 000002
【特許請求の範囲】
【請求項１】
Ｔ字カミソリや歯ブラシ、電気カミソリや電動歯ブラシ、包丁などの日用品における把持部の構造であって、
把持部の所定中間箇所における左右両方に、夫々指掛体が備えられていることを特徴とする日用品把持部構造。
【請求項２】
前記指掛体が、直棒形状、略Ｕ字形状若しくは輪形状のうち選択される何れか一形状であることを特徴とする請求項１に記載の日用品把持部構造。
【請求項３】
前記把持部の下端に、指掛フック体が備えられていることを特徴とする請求項１または請求項２に記載の日用品把持部構造。
【請求項４】
前記指掛フック体が、回転可能であることを特徴とする請求項３に記載の日用品把持部構造。
【発明の詳細な説明】
【技術分野】
【０００１】
本発明は、Ｔ字カミソリや歯ブラシ、電気カミソリや電動歯ブラシ、包丁などの日用品における把持部の構造に関するものである。
【背景技術】
【０００２】
Ｔ字カミソリや歯ブラシ、電気カミソリや電動歯ブラシ、包丁などの日用品は、略棒状の把持部の先端に用途に合わせてカミソリやブラシ等の作用体が備えられた構造を有しているものが一般的である。かかる把持部は略棒状であることから、作用体に力や抵抗がかかった場合に、把持した手が手振れを起こすこととなる。かかる手振れを起こした場合に、日用品の使用上問題となる場合が多々ある。例えば日用品が髭剃り用のＴ字カミソリである場合、手振れによりカミソリの刃が横滑りを起こして、肌を傷つけてしまう危険が生じる。
【０００３】
また、身体的障害その他の要因により、把持に必要な握力が充分でない場合も考え得る。このように充分な握力で日用品を把持できない場合には、上記した危険性だけでなく、日用品が手から落下するおそれもあり、そもそも日用品の機能を充分に発揮し得ないことが想定される。
【０００４】
本発明者は以上のような日用品の使用上の現状並びに問題点に鑑み、把持部を堅固に把持して手振れや落下を防止することができないものかという着想の下、把持部に簡単な構造変化を付加して日用品を堅固に把持可能な「日用品把持部構造」を開発し、本発明の提案に至るものである。
【先行技術文献】
【特許文献】
【０００５】
【特許文献１】特開２００３−３１１０４８号公報
【発明の概要】
【発明が解決しようとする課題】
【０００６】
本発明は、上記問題点に鑑み、Ｔ字カミソリや歯ブラシ、電気カミソリや電動歯ブラシ、包丁などの日用品を把持した際に、その把持した手の手振れや落下を極力防止して、日用品の安全使用を可能にする把持部の構造を提供することを目的とするものである。
【課題を解決するための手段】
【０００７】
上記目的を達成するため、本発明は、Ｔ字カミソリや歯ブラシ、電気カミソリや電動歯ブラシ、包丁などの日用品における把持部の構造であって、把持部の所定中間箇所における左右両方に、夫々指掛体が備えられた構成となっている。
【０００８】
また、本発明は、前記指掛体が、直棒形状、略Ｕ字形状若しくは輪形状のうち選択される何れか一形状である構成となっている。
【０００９】
さらに、本発明は、前記把持部の下端に、指掛フック体が備えられた構成を採用することも可能である。
【００１０】
またさらに、本発明は、前記指掛フック体が、回転可能な構成となっている。
【発明の効果】
【００１１】
本発明にかかる日用品把持部構造によれば、把持部の所定中間箇所に指掛体が備えられているため、該指掛体に指を掛けて把持部を挟み込むように把持することで、日用品を把持した手の手振れを極力防止することできると共に、堅固に把持して日用品が手から落下するのを防ぐことが可能となって、その結果日用品の安全使用に資するといった、優れた効果を発揮するものである。
【００１２】
また、本発明にかかる日用品把持部構造によれば、把持部の下端に指挿入用輪体が備えられることで、指掛体と併せてより堅固に把持部の把持が可能となって、手振れや落下を極力抑えて日用品の安全使用に資するといった、優れた効果を発揮するものである。
【図面の簡単な説明】
【００１３】
【図１】本発明にかかる日用品把持部構造の実施形態を示す説明図である。
【図２】本発明にかかる日用品把持部構造の実施形態を示す説明図である。
【図３】本発明にかかる日用品把持部構造の使用態様を示す説明図である。
【発明を実施するための形態】
【００１４】
本発明は、Ｔ字カミソリや歯ブラシ、電気カミソリや電動歯ブラシ、包丁などの日用品１における把持部３の所定中間箇所に、指掛体４が備えられていることを最大の特徴とする。以下、本発明にかかる日用品把持部構造の実施形態を、図面に基づき詳細に説明する。
【００１５】
なお、本発明は、下記構成態様の実施形態に特に限定されるものではなく、本発明の技術的思想の要旨に逸脱しない範囲、すなわち同一の作用効果を発揮し得る範囲において、構成態様を任意に変更することができるものである。
【００１６】
図１及び図２は、本発明にかかる日用品把持部構造の実施形態を示す説明図である。
すなわち、本発明にかかる日用品把持部構造は、把持部３の所定中間箇所に、指掛体４が備えられて成る。
【００１７】
本発明が採用される日用品１について、図面ではＴ字カミソリについてのみ示しているが、その他歯ブラシや電気カミソリ、電動歯ブラシや包丁といった、ブラシや刃等の作用体２に略棒状の把持部３を備えるものであれば、特に限定なく採用可能である。
【００１８】
前記指掛体４は、把持する手の人差し指と中指（場合によっては中指と薬指）を掛け置くものであって、把持部３の所定中間箇所において、左右両方に夫々備えられる。該指掛体４は、その機能上、指を掛けられる形状を有し、その具体的形状については特に限定はないが、例えば図２（ａ）に示すような横に水平な直棒形状のほか、指を掛け易くすべく図２（ｂ）に示す略Ｕ字形状や図２（ｃ）に示すような輪形状、さらに図示されていないが下方へ末広がり状となる直棒形状や三角形状等とすることが考え得る。
【００１９】
前記指掛体４の材質については、特に限定はないが、採用される日用品１の把持部３と同材質とすることが望ましく、例えば合成樹脂により把持部３と指掛体４とが一体成型される。
【００２０】
以上の構成から成る日用品把持部構造は、図３（ａ）に示すように、左右の指掛体４に人差し指と中指を夫々掛けた状態で、その二本の指で把持部３を挟み込むように把持することとなる。このように、二本の指が把持部３を挟み込むことで、手振れや作用圧による把持部３の横振れが防止され、日用品１を安全に使用することが可能となると共に、把持部を堅固に把持して、日用品の手からの落下を防止することが可能となる。
【００２１】
ところで、図１（ｂ）に示すように、把持部３の下端に指掛フック体５を備える態様も可能である。該指掛フック体５は、把持する手の小指を引っ掛けるものであって、指が引っ掛け可能な形状となっている。例えば、図示されたような輪形状であったり、あるいは、図示されていないが一部が開放されたＣ字形状等が考え得る。
【００２２】
前記指掛フック体５の材質については、特に限定はないが、前記指掛体４と同様、採用される日用品１の把持部３と同材質とすることが望ましく、例えば合成樹脂により把持部３と指掛フック体５とが一体成型される。
【００２３】
以上の指掛フック体５を備える日用品把持部構造は、図３（ｂ）に示すように、左右の指掛体４に人差し指と中指を夫々掛けた状態で、その二本の指で把持部３を挟み込むように把持すると共に、指掛フック体５に小指を引っ掛けた状態で、該小指で把持部３の下端を堅持することとなる。このように、二本の指で把持部３を挟み込むと共に、小指で把持部３の下端を堅持することで、手振れや作用圧による把持部３の横振れをより効果的に防止して、日用品１を安全に使用することが可能となる。
【００２４】
なお、かかる指掛フック体５について、回転可能な構成とすることが考え得る。すなわち、回転可能とすることで指掛フック体５の角度を自由に決定することができるため、最適な角度で指掛フック体５に小指を引っ掛けることができ、不自然な指の配置や指に余計な力が加わってしまうのを防止することが可能となる。
【産業上の利用可能性】
【００２５】
本発明の日用品把持部構造は、日用品１の把持部３に指掛体４を備えるという簡単な構造変更により、効果的に把持部３の横振れを防止して、日用品１の安全使用に資するもので、さらに身体的障害により握力が減退したような人であっても、本発明を採用した日用品１であれば問題なく堅持可能であることから、福祉分野においても大いに効果を発揮することが期待できるものである。よって、本発明の産業上の利用可能性は極めて高いものと思料する。
【符号の説明】
【００２６】
１    日用品
２    作用体
３    把持部
４    指掛体
５    指掛フック体
【図１】
2015074053.tif 000003
【図２】
2015074053.tif 000004
【図３】
2015074053.tif 000005